(57)【特許請求の範囲】
【請求項１】
幅方向両端部がそれぞれ矩形のゲートの下辺とトラフの矩形の開口部の下辺とに接続された帯状の底面部と、その底面部の長手方向両端部に設けられ、幅方向両端部が前記ゲートの左右各側辺と前記トラフの開口部の左右各側辺とに接続された扇状の側面部とを有する可撓性の接続部材を介して前記ゲートを前記トラフに取付け、前記ゲートを前記接続部材の底面部を中心として前記ゲートの先端が水面上に起立する閉鎖位置と前記先端が水面下に沈下する開放位置との間を回動して、前記水面上のスカムを前記開口部から前記トラフ内に流入させるスカム除去装置において、
前記接続部材を、底面部と側面部とに分割して形成するとともに、前記側面部の扇の要部に相当する位置に底面部の一部を付加し、その付加された底面部の一部を前記底面部の長手方向端部に重合して接合したことを特徴とするスカム除去装置。
【発明の詳細な説明】
【０００１】
【発明の属する技術分野】
本発明は、下水処理場等の沈殿池に設けられるスカム除去装置に係り、特に、トラフとゲートとを接続する接続部材を改良したものに関する。
【０００２】
【従来の技術】
図２は、下水処理場等の沈殿池に設けられる従来のスカム除去装置の断面図であって、スカムＳの移動方向（図２の丸１の矢印参照）と平行な垂直面に沿って切断して示されている。
【０００３】
トラフ１は、沈殿池ａの水面付近に設けられていて、スカムＳがスクレーパｂで掻寄せられてきたとき、水面上に起立しているゲート２を図２の矢印（丸２）で示されるようにゲートの先端が水面下に沈下するまで水平軸周りに回動させて、そのスカムをトラフ１内に流入させるように構成されている。
【０００４】
ゲート２は、その下端部が合成ゴムあるいは天然ゴム等からなるシート状の可撓性の接続部材３でトラフ１と接続されていて、図示しない駆動機構で駆動することにより、接続部材３を中心にして、図２の実線で示される閉鎖位置と二点鎖線で示される開放位置との間を回動（往復角運動）させることができる。
【０００５】
図３（ａ）は、図２に示されるトラフ１の一方の端部（図示の例では右側の端部）の拡大斜視図で、同図（ｂ）は、接続部材３の右側の端部の展開平面図である。接続部材３は、図３から明らかなように、トラフ１とゲート２とを接続するための底面部３ａと、トラフ１の両側からの水の流入を防止するための側面部３ｂとから構成されていて、これら底面部３ａ及び側面部３ｂは、一枚のシートを裁断して一体的に形成されている。
【０００６】
図３（ａ）中、４ａ，４ｂは、接続部材３の側面部３ｂをトラフ１及びゲート２にそれぞれ取付けるための当板である。すなわち、接続部材３の側面部３ｂは、これら当板４ａ及び４ｂとトラフ１及びゲート２間にそれぞれ介在させた状態でボルト・ナットＢにより取付けられている。また、底面部３ａも当板を用いてトラフ１及びゲート２に取付けられているが、ここでは省略されている。
【０００７】
なお、図３（ｂ）中、多数の円形の小孔は、接続部材３の底面部３ａ及び側面部３ｂに予め設けられたボルト孔であるが、これらのボルト孔は、接続部材３をトラフ１及びゲート２に取付ける際に、いわゆる現場合せによりあけてもよい。
【０００８】
【発明が解決しようとする課題】
しかしながら、上記従来のスカム除去装置において、トラフとゲートとを接続する接続部材は、底面部と側面部とが一体化されているので、一部が破損したときに接続部材全体の交換を必要とし、接続部材の交換費用がかさむとともに、交換作業も長時間を必要とする欠点があった。
【０００９】
図３を用いてさらに説明すると、長時間の使用により接続部材３で最も損傷を受ける箇所は、図３（ｂ）に示される底面部３ａと側面部３ｂとの接合部分イである。すなわち、この接合部分イは、ゲート２の揺動時に複雑な力が作用して他の部分よりも早く劣化が進行してしまう。
【００１０】
接続部材３の一部に破損が生じると、その部分から、常時、トラフ１内に水が侵入してスカムの濃度を低下させるという問題が生じるので、接続部材３の一部分に破損が生じたときは、接続部材３全体の交換を必要とし、上述したように、コスト高と長時間の交換作業を招いてしまう。
【００１１】
そこで、本発明は、上記欠点を解決するためになされたものであって、その目的は、接続部材を低コストで、しかも、短時間の作業で交換ができるスカム除去装置を提供することにある。
【００１２】
【課題を解決するための手段】
本発明は、上記目的を達成するために、幅方向両端部がそれぞれ矩形のゲートの下辺とトラフの矩形の開口部の下辺とに接続された帯状の底面部と、その底面部の長手方向両端部に設けられ、幅方向両端部が前記ゲートの左右各側辺と前記トラフの開口部の左右各側辺とに接続された扇状の側面部とを有する可撓性の接続部材を介して前記ゲートを前記トラフに取付け、前記ゲートを前記接続部材の底面部を中心として前記ゲートの先端が水面上に起立する閉鎖位置と前記先端が水面下に沈下する開放位置との間を回動して、前記水面上のスカムを前記開口部から前記トラフ内に流入させるスカム除去装置において、前記接続部材を、底面部と側面部とに分割して形成するとともに、前記側面部の扇の要部に相当する位置に底面部の一部を付加し、その付加された底面部の一部を前記底面部の長手方向端部に重合して接合したことを特徴としている。
【００１３】
【発明の実施の形態】
以下、本発明の実施の形態を図面に基づいて説明する。なお、上記図２及び図３と同一構成要素には同一符号を付して説明する。
【００１４】
図１（ａ）は、一実施の形態に係るスカム除去装置のトラフの一方の端部部分の斜視図であって、ちょうど上記図２のトラフ１の図２の左側からトラフを見た場合の右側の端部部分を示している。
【００１５】
トラフ１は、上記図２に示されると同様に、沈殿池ａの水面付近に設けられていて、スクレーパでスカムが掻寄せられてきたときに、ゲート２を上記図２の矢印（丸２）で示されるように回動して、スカムをトラフ１内に流入させるように構成されている。
【００１６】
ゲート２は、その下端部が合成ゴムあるいは天然ゴム等からなるシート状の可撓性の接続部材１０でトラフ１と接続されていて、図示しない駆動機構で駆動することにより、接続部材１０を中心にして回動することができる（図２の実線で示される閉鎖位置及び二点鎖線で示される開放位置参照）。
【００１７】
図１（ｂ）は、接続部材１０の長手方向一端部側の展開平面図である。接続部材１０は、この図１（ｂ）から明らかなように、トラフ１とゲート２とを接続するための帯状の底面部１０ａと、トラフ１の両側とゲート２との間からの水の流入を防止するための扇形状の側面部１０ｂ（図１（ｂ）では右側のみを示す）とから構成されていて、これら底面部１０ａ及び側面部１０ｂは、分割して形成されている。
【００１８】
２つに分割されている接続部材１０は、底面部１０ａの一部と側面部１０ｂの扇の要部分に相当する一部が重合され、全体形状が上記図３（ｂ）と同様の形状となるように、当板４ｃ及びボルト・ナットＢを用いて取り外し可能な状態で接合されている。
【００１９】
図１（ａ）中、４ａ，４ｂは、接続部材１０の側面部１０ｂをトラフ１及びゲート２にそれぞれ取付けるための当板である。すなわち、接続部材１０の側面部１０ｂは、これら当板４ａ及び４ｂとトラフ１及びゲート２間にそれぞれ介在させた状態でボルト・ナットＢにより取付けられている。また、底面部１０ａも当板を用いてトラフ１及びゲート２に取付けられているが、ここでは省略されている。
【００２０】
なお、図１（ｂ）中、多数の円形の小孔は、接続部材１０の底面部１０ａ及び側面部１０ｂに予め設けられたボルト孔であるが、これら孔は、接続部材１０をトラフ１及びゲート２に取付ける際に、いわゆる現場合せによりあけられてもよい。
【００２１】
上述のように、スカム除去装置の接続部材１０は、底面部１０ａと側面部１０ｂとに分割され、一部を重合して接合されているので、最も損傷を受けやすい底面部１０ａと側面部１０との付根部分を側面部１０ｂのみを交換することで簡単に更新することが可能となる。
【００２２】
【発明の効果】
本発明によれば、接続部材を、底面部と側面部とに分割して形成するとともに、前記側面部の扇の要部に相当する位置に底面部の一部を付加し、その付加された底面部の一部を前記底面部の長手方向端部に重合して接合したので、最も損傷を受けやすい底面部と側面部との付根部分が補強され、かつ、損傷した場合は、側面部のみを交換することで簡単に更新することができる。従って、交換作業時間を短時間で行うことができる。また、交換する部分も小さくて済むので、低コスト化を図ることができる。
【図面の簡単な説明】
【図１】  （ａ）は、本発明の一実施の形態に係るスカム除去装置のトラフの一方の端部部分の斜視図、（ｂ）は、接続部材の展開拡大平面図である。
【図２】  スカム除去装置を説明するための断面図である。
【図３】  （ａ）は、従来のスカム除去装置のトラフの一方の端部部分の斜視図、（ｂ）は、接続部材の展開拡大平面図である。
【符号の説明】
１      トラフ
２      ゲート
４ａ，４ｂ  当板
１０    接続部材
１０ａ  底面部
１０ｂ  側面部
Ｂ      ボルト・ナット
【図１】
0004067674.tif 000002
【図２】
0004067674.tif 000003
【図３】
0004067674.tif 000004